(57)【要約】  【課題】  ケーブルモデムにＰＳＴＮバックアップラインを接続して、緊急事態発生時に使用者電話機から緊急電話番号が発信された場合に、発信された緊急電話呼出信号をケーブルモデムに接続されたＰＳＴＮバックアップラインを通じてＰＳＴＮへ伝送することを可能とする。  【解決手段】  ケーブルモデム２０は、多数の緊急電話番号情報を保存する保存手段２３と、  接続された使用者電話機１１から電話番号の第１デジットが発生した場合に、該第１デジットに相応する電話番号情報が保存手段２３に保存された多数の緊急電話番号の中で少なくとも一つの緊急電話番号情報と一致する場合に、該電話機１１の種類に従って、該緊急電話番号に相応するデジットの発生のための制御信号を生成する制御手段２２と、該制御信号に基づいて、当該緊急電話番号に相応する第２デジットを生成して、当該ケーブルモデムに接続されたＰＳＴＮバックアップラインを通じてＰＳＴＮへ伝送する信号伝送手段２４，２５／２７，２８と、を含む。【選択図】  図２
2005086817.tif 000002
【特許請求の範囲】
【請求項１】
ケーブルモデムを通じたインターネットフォンサービスシステムに用いられる緊急電話発信装置であって、
多数の緊急電話番号情報を保存する保存手段と、
前記ケーブルモデムに接続された使用者電話機から電話番号の第１のデジットが発生した場合に、該第１のデジットに相応する電話番号情報が前記保存手段に保存された多数の緊急電話番号の中で少なくとも一つの緊急電話番号情報と一致する場合に、使用者電話機の種類に従って、当該緊急電話番号に相応するデジットを発生するための制御信号を生成する制御手段と、
前記制御手段が生成した前記制御信号に基づいて、当該緊急電話番号に相応する第２のデジットを生成し、緊急電話番号のための該第２のデジットを、当該ケーブルモデムに接続されたＰＳＴＮバックアップラインを通じてＰＳＴＮ(Public Switched Telephone Network）へ伝送する信号伝送手段と、
を含むことを特徴とするケーブルモデムを利用した緊急電話発信装置。
【請求項２】
前記制御手段は、前記ケーブルモデムに接続された使用者電話機から第１のデジットが発生した場合に、該第１のデジット信号に応じて、当該使用者が選択した電話番号情報を生成するデジット認識部と、
a) 前記デジット認識部により生成された電話番号情報と前記保存手段に保存された多数の緊急電話番号情報とを比較し、
b) 該比較の結果、使用者が入力した電話番号情報が前記保存手段に保存された緊急電話番号の中で一つの緊急電話番号情報と一致する場合に、使用者電話機の種類に従って、使用者が入力した緊急電話番号に相応する第２のデジットを発生するための制御信号を前記信号伝送手段へ供給する制御部と、
を含むことを特徴とする請求項１記載のケーブルモデムを利用した緊急電話発信装置。
【請求項３】
前記信号伝送手段は、前記使用者電話機が電子式電話機である場合に、前記制御手段からのデジット発生のための制御信号に基づいて、使用者が入力した緊急電話番号に相応するＤＴＭＦ信号を生成するＤＴＭＦ信号発生部と、
前記ＤＴＭＦ信号発生部からのＤＴＭＦ信号を、ケーブルモデムに接続されたＰＳＴＮバックアップラインを通じてＰＳＴＮへ伝送するＤＴＭＦ信号伝送部と、
を含むことを特徴とする請求項１記載のケーブルモデムを利用した緊急電話発信装置。
【請求項４】
前記信号伝送手段は、ＤＴＭＦ信号伝送部を通じて伝送される緊急電話番号に相応するＤＴＭＦ信号を交換機に安定して伝送するために、ＰＳＴＮ交換機とケーブルモデムとの間のインピーダンスを整合するインピーダンス整合部をさらに含むこと
を特徴とする請求項３記載のケーブルモデムを利用した緊急電話発信装置。
【請求項５】
前記インピーダンス整合部は、トランスフォーマーを備えたことを特徴とする請求項４記載のケーブルモデムを利用した緊急電話発信装置。
【請求項６】
前記信号伝送手段は、供給される駆動制御信号に基づいて、使用者が入力した緊急電話番号に相応するパルスを発生して、該パルスをケーブルモデムに接続されたＰＳＴＮバックアップラインを通じてＰＳＴＮへ伝送するリレーと、
前記使用者電話機が機械式電話機である場合に、前記制御手段から供給されるデジット発生のための制御信号に基づいて、使用者が入力した緊急電話番号に相応するパルスを発生するための駆動制御信号を前記リレーに供給するリレー制御部と、
を含むことを特徴とする請求項１記載のケーブルモデムを利用した緊急電話発信装置。
【請求項７】
前記電話機から発生した第１のデジットとＰＳＴＮへ伝送される第２のデジットとは、同一のデジット値を有すること
を特徴とする請求項１記載のケーブルモデムを利用した緊急電話発信装置。
【請求項８】
ケーブルモデムを通じたインターネットフォンサービスシステムに用いられる緊急電話発信装置であって、
多数の緊急電話番号情報が保存された保存部と、
前記ケーブルモデムに接続された使用者電話機からデジットが発生した場合に、発生されたデジット信号に基づいて、使用者が選択した電話番号情報を生成するデジット認識部と、
a) 前記デジット認識部で生成された電話番号情報と前記保存部に保存された多数の緊急電話番号情報とを比較し、
b) 該比較の結果、使用者が入力した電話番号情報が前記保存部に保存された緊急電話番号の内の一つの緊急電話番号情報と一致する場合に、使用者電話機の種類に従って、使用者が入力した緊急電話番号に相応するデジットを発生するための制御信号を出力する制御部と、
前記使用者電話機が電子式(デジタルタイプ)電話機である場合に、制御部から出力されるデジット発生のための制御信号に基づいて、使用者が入力した緊急電話番号と同一の番号に相応するＤＴＭＦ信号を生成するＤＴＭＦ信号発生部と、
前記ＤＴＭＦ信号発生部で発生したＤＴＭＦ信号を伝送するＤＴＭＦ信号伝送部と、
ＤＴＭＦ信号伝送部を通じて伝送される緊急電話番号に相応するＤＴＭＦ信号を、ＰＳＴＮとケーブルモデムの間のインピーダンスを整合した後に、ＰＳＴＮバックアップラインを通じてＰＳＴＮへ伝送するインピーダンス整合部と、
を含むことを特徴とするケーブルモデムを利用した緊急電話発信装置。
【請求項９】
供給される駆動制御信号に基づいて、使用者が入力した緊急電話番号に相応するパルスを生成してケーブルモデムに接続されたＰＳＴＮバックアップラインを通じてＰＳＴＮへ伝送するリレーと、
前記使用者電話機が機械式(アナログタイプ)電話機である場合に、前記制御部から供給されるデジット発生のための制御信号に基づいて、使用者が入力した緊急電話番号に相応するパルスを発生するための駆動制御信号を前記リレーに供給するリレー制御部と、
を含むことを特徴とする請求項８記載のケーブルモデムを利用した緊急電話発信装置。
【請求項１０】
ケーブルモデムを通じたインターネットフォンサービスシステムでの緊急電話発信方法であって、
前記ケーブルモデムに接続された使用者電話機からデジットが発生した場合に、発生されたデジット信号に基づいて、使用者が選択した電話番号情報を生成する段階と、
該生成した電話番号情報と既に保存された多数の緊急電話番号情報とを比較する段階と、
該比較の結果、使用者が入力した電話番号情報が既に保存された多数の緊急電話番号の内の一つの緊急電話番号情報と一致する場合に、使用者が入力した緊急電話番号に相応するＤＴＭＦ信号を生成する段階と、
生成された該ＤＴＭＦ信号をＰＳＴＮバックアップラインを通じてＰＳＴＮへ伝送する段階と、
を含むことを特徴とするケーブルモデムを利用した緊急電話発信方法。
【請求項１１】
前記ＤＴＭＦ信号をＰＳＴＮへ伝送する際に、ＰＳＴＮとケーブルモデムの間のインピーダンスを整合する段階をさらに含むこと
を特徴とする請求項１０記載のケーブルモデムを利用した緊急電話発信方法。
【請求項１２】
前記ＤＴＭＦ信号を生成する段階で、使用者電話機が機械式(アナログタイプ)電話機である場合に、リレーを駆動して使用者が入力した緊急電話番号と同一の番号に相応するパルスを生成する段階と、
該生成された緊急電話番号に相応するパルスをケーブルモデムに接続されたＰＳＴＮバックアップラインを通じてＰＳＴＮへ伝送する段階と、
を含むことを特徴とする請求項１０記載のケーブルモデムを利用した緊急電話発信方法。
【請求項１３】
ケーブルモデムを通じたインターネットフォンサービスシステムでの緊急電話発信方法であって、
前記ケーブルモデムに接続された使用者電話機からデジットが発生した場合に、発生されたデジット信号に基づいて、使用者が選択した電話番号情報を生成する段階と、
該生成した電話番号情報と既に保存された多数の緊急電話番号情報とを比較する段階と、
該比較の結果、使用者が入力した電話番号情報が既に保存された多数の緊急電話番号の内の一つの緊急電話番号情報と一致する場合に、使用者が入力した緊急電話番号に相応するパルス信号を生成する段階と、
該生成されたパルス信号をＰＳＴＮバックアップラインを通じてＰＳＴＮへ伝送する段階と、
を含むことを特徴とするケーブルモデムを利用した緊急電話発信方法。
【請求項１４】
パルス信号をＰＳＴＮへ伝送する際に、ＰＳＴＮとケーブルモデムの間のインピーダンスを整合する段階をさらに含むこと
を特徴とする請求項１３記載のケーブルモデムを利用した緊急電話発信方法。
【請求項１５】
前記パルス信号を発生する段階で、使用者電話機が機械式電話機である場合に、リレーを駆動して使用者が入力した緊急電話番号と同一の番号に相応するパルスを生成する段階と、
該生成された緊急電話番号に相応するパルスをケーブルモデムに接続されたＰＳＴＮバックアップラインを通じてＰＳＴＮへ伝送する段階と、
を含むことを特徴とする請求項１３記載のケーブルモデムを利用した緊急電話発信方法。
【発明の詳細な説明】
【技術分野】
【０００１】
本発明は、ケーブルモデムを利用した緊急電話発信装置及びその方法に関し、特に、ケーブルモデムにＰＳＴＮ（公衆交換電話網:Public Switched Telephone Network）バックアップラインを接続して一般電話機を通じて使用者から緊急電話番号が発信された場合に、発信された緊急電話番号に対する呼出信号をケーブルモデムに接続されたＰＳＴＮバックアップラインを通じてＰＳＴＮへ伝送するための装置及び方法に関する。
【背景技術】
【０００２】
一般的に、モデムは電話線を通じてデータを送/受信することができるように構成されるのに対して、ケーブルモデムは、ケーブル網が利用される同軸ケーブルに接続されてインターネットと接続が可能に構成されることで、現在では、３０Ｍｂｐｓ程度の伝送速度を支援している。
【０００３】
以下に、図１を参照して、ケーブルモデムを利用した通信網について説明する。
【０００４】
図１は、一般的なケーブルモデムを用いた通信ネットワークの連結構造を示す図である。
【０００５】
図１に示すように、ケーブルモデムを利用した通信網は、インターネットに具備されたバックボーンネットワーク(Backbone  Network)４０、バックボーンネットワーク４０とケーブル網間にパケット伝送が可能に構成されたケーブルモデム端末システム(Cable Modem Termination System : 以下、ＣＭＴＳと称する。)３０、ケーブル網に各々連結されたケーブルモデム２０、ケーブルモデム２０に接続された顧客宅内装置(Customer Premises Equipment : 以下、ＣＰＥと称する。)１０を含む。
【０００６】
ここで、ＣＭＴＳ３０は、ケーブル放送事業者やインターネットサービス提供業者(ＩＳＰ：Internet Service Provider)などに相当するものであり、ケーブル網を通じて通信用データを提供する機能を実行する。
【０００７】
また、ＣＭＴＳ３０は、通信用データをインターネットパケットに変換してバックボーンネットワーク４０を通じて伝送し、ケーブル網内に通信データを伝送するためのルーティング(Routing)、ハッキング(Hacking)からケーブル運営者を保護するためのフィルタリング(Filtering)、加入者にサービス品質を保障するためのトラフィック(Traffic)を具体化する。
【０００８】
ケーブルモデム２０は、ＣＭＴＳ３０から受信される通信用データをインターネットパケットに変換してＣＰＥ１０へイーサネット（登録商標）を通じて伝送し、ＣＰＥ１０からイーサネット（登録商標）を通じて受信されるインターネットパケットを通信用データに変換して、ケーブル網を通じてＣＭＴＳ３０へ伝送する。
【０００９】
また、ケーブルモデム２０は、ＣＭＴＳ３０からケーブル網を通じて伝送される音声パケットをＣＰＥ１０の電話機１１に供給し、電話機１１から伝送される使用者音声信号を音声パケットに変換してケーブル網を通じてＣＭＴＳ３０に供給する。
【００１０】
ここで、ＣＰＥ１０は、大きく電話機１１とＰＣ１２とで区分でき、ＰＣ１２はパソコン、マキントッシュ、ワークステーション、ネットワークコンピューター及びその他の電子装置を含むことができる。
【００１１】
このようなケーブルモデムを用いたインターネット電話サービスでは、全世界的にＰＳＴＮバックアップライン(Back-up Line)回路及び安定化されたＰＳＴＮ（公衆交換電話網）を通じた緊急電話機能が要求されている実情である。
【００１２】
しかしながら、従来のケーブルモデムを利用して緊急電話サービスを実行するためには、緊急電話呼信号はケーブルモデムを経由してＣＭＴＳへ伝達され、さらにＣＭＴＳとバックボーン網とを経由して伝送されなければならないので、呼が接続されるまで長時間を要し、緊急状況に速かに対処できない問題点がある。
【発明の開示】
【発明が解決しようとする課題】
【００１３】
本発明は上述した従来技術の問題点を解決するためになされたものであり、その目的は、ケーブルモデムにＰＳＴＮバックアップラインを接続して、緊急事態発生により使用者から電話機を通じて緊急電話番号が発信された場合に、発信された緊急電話呼出信号をケーブルモデムに接続されたＰＳＴＮバックアップラインを通じてＰＳＴＮへ伝送することを可能とした、ケーブルモデムを利用した緊急電話発信装置及びその方法を提供することにある。
【課題を解決するための手段】
【００１４】
前記目的を達成するための本発明によるケーブルモデムを通じたインターネットフォンサービスシステムに用いられる緊急電話発信装置の一側面は、多数の緊急電話番号情報を保存する保存手段と、前記ケーブルモデムに接続された使用者電話機から電話番号の第１のデジットが発生した場合に、該第１のデジットに相応する電話番号情報が前記保存手段に保存された多数の緊急電話番号の中で少なくとも一つの緊急電話番号情報と一致する場合に、使用者電話機の種類に従って、当該緊急電話番号に相応するデジットを発生するための制御信号を生成する制御手段と、
前記制御手段が生成した前記制御信号に基づいて、当該緊急電話番号に相応する第２のデジットを生成し、緊急電話番号のための該第２のデジットを、当該ケーブルモデムに接続されたＰＳＴＮバックアップラインを通じてＰＳＴＮ(Public Switched Telephone Network）へ伝送する信号伝送手段と、を含む。
【００１５】
好ましくは、制御手段は、ケーブルモデムに接続された使用者電話機から第１のデジットが発生した場合に、該第１のデジット信号に応じて、当該使用者が選択した電話番号情報を生成するデジット認識部と、a) 前記デジット認識部により生成された電話番号情報と前記保存手段に保存された多数の緊急電話番号情報とを比較し、b) 該比較の結果、使用者が入力した電話番号情報が前記保存手段に保存された緊急電話番号の中で一つの緊急電話番号情報と一致する場合に、使用者電話機の種類に従って、使用者が入力した緊急電話番号に相応する第２のデジットを発生するための制御信号を前記信号伝送手段へ供給する制御部と、を含む。
【００１６】
好ましくは、信号伝送手段は、使用者電話機が電子式電話機である場合に、前記制御手段からのデジット発生のための制御信号に基づいて、使用者が入力した緊急電話番号に相応するＤＴＭＦ信号を生成するＤＴＭＦ信号発生部と、前記ＤＴＭＦ信号発生部からのＤＴＭＦ信号を、ケーブルモデムに接続されたＰＳＴＮバックアップラインを通じてＰＳＴＮへ伝送するＤＴＭＦ信号伝送部と、を含む。
【００１７】
また、好ましくは、信号伝送手段は、ＤＴＭＦ信号伝送部を通じて伝送される緊急電話番号に相応するＤＴＭＦ信号を交換機に安定して伝送するために、ＰＳＴＮ交換機とケーブルモデムとの間のインピーダンスを整合するインピーダンス整合部をさらに含む。ここで、インピーダンス整合部は、トランスフォーマーを備えた構成とすることができる。
【００１８】
また、好ましくは、信号伝送手段は、供給される駆動制御信号に基づいて、使用者が入力した緊急電話番号に相応するパルスを発生して、該パルスをケーブルモデムに接続されたＰＳＴＮバックアップラインを通じてＰＳＴＮへ伝送するリレーと、前記使用者電話機が機械式電話機である場合に、前記制御手段から供給されるデジット発生のための制御信号に基づいて、使用者が入力した緊急電話番号に相応するパルスを発生するための駆動制御信号を前記リレーに供給するリレー制御部と、を含む。
【００１９】
好ましくは、前記電話機から発生した第１のデジットとＰＳＴＮへ伝送される第２のデジットとは、同一のデジット値を有する構成とする。
【００２０】
また、本発明によるケーブルモデムを通じたインターネットフォンサービスシステムに用いられる緊急電話発信装置の他の側面では、多数の緊急電話番号情報が保存された保存部と、前記ケーブルモデムに接続された使用者電話機からデジットが発生した場合に、発生されたデジット信号に基づいて、使用者が選択した電話番号情報を生成するデジット認識部と、a) 前記デジット認識部で生成された電話番号情報と前記保存部に保存された多数の緊急電話番号情報とを比較し、b) 該比較の結果、使用者が入力した電話番号情報が前記保存部に保存された緊急電話番号の内の一つの緊急電話番号情報と一致する場合に、使用者電話機の種類に従って、使用者が入力した緊急電話番号に相応するデジットを発生するための制御信号を出力する制御部と、前記使用者電話機が電子式(デジタルタイプ)電話機である場合に、制御部から出力されるデジット発生のための制御信号に基づいて、使用者が入力した緊急電話番号と同一の番号に相応するＤＴＭＦ信号を生成するＤＴＭＦ信号発生部と、前記ＤＴＭＦ信号発生部で発生したＤＴＭＦ信号を伝送するＤＴＭＦ信号伝送部と、ＤＴＭＦ信号伝送部を通じて伝送される緊急電話番号に相応するＤＴＭＦ信号を、ＰＳＴＮとケーブルモデムの間のインピーダンスを整合した後に、ＰＳＴＮバックアップラインを通じてＰＳＴＮへ伝送するインピーダンス整合部と、を含む。
【００２１】
かかる構成において、好ましくは、供給される駆動制御信号に基づいて、使用者が入力した緊急電話番号に相応するパルスを生成してケーブルモデムに接続されたＰＳＴＮバックアップラインを通じてＰＳＴＮへ伝送するリレーと、前記使用者電話機が機械式(アナログタイプ)電話機である場合に、前記制御部から供給されるデジット発生のための制御信号に基づいて、使用者が入力した緊急電話番号に相応するパルスを発生するための駆動制御信号を前記リレーに供給するリレー制御部と、を含む。
【００２２】
一方、本発明によるケーブルモデムを通じたインターネットフォンサービスシステムでの緊急電話発信方法の一側面は、前記ケーブルモデムに接続された使用者電話機からデジットが発生した場合に、発生されたデジット信号に基づいて、使用者が選択した電話番号情報を生成する段階と、該生成した電話番号情報と既に保存された多数の緊急電話番号情報とを比較する段階と、該比較の結果、使用者が入力した電話番号情報が既に保存された多数の緊急電話番号の内の一つの緊急電話番号情報と一致する場合に、使用者が入力した緊急電話番号に相応するＤＴＭＦ信号を生成する段階と、生成された該ＤＴＭＦ信号をＰＳＴＮバックアップラインを通じてＰＳＴＮへ伝送する段階と、を含む。
【００２３】
好ましくは、前記ＤＴＭＦ信号を生成する段階で、使用者電話機が機械式(アナログタイプ)電話機である場合に、リレーを駆動して使用者が入力した緊急電話番号と同一の番号に相応するパルスを生成する段階と、該生成された緊急電話番号に相応するパルスをケーブルモデムに接続されたＰＳＴＮバックアップラインを通じてＰＳＴＮへ伝送する段階と、を含む。
【００２４】
また、本発明によるケーブルモデムを通じたインターネットフォンサービスシステムでの緊急電話発信方法の他の側面は、ケーブルモデムに接続された使用者電話機からデジットが発生した場合に、発生されたデジット信号に基づいて、使用者が選択した電話番号情報を生成する段階と、該生成した電話番号情報と既に保存された多数の緊急電話番号情報とを比較する段階と、該比較の結果、使用者が入力した電話番号情報が既に保存された多数の緊急電話番号の内の一つの緊急電話番号情報と一致する場合に、使用者が入力した緊急電話番号に相応するパルス信号を生成する段階と、該生成されたパルス信号をＰＳＴＮバックアップラインを通じてＰＳＴＮへ伝送する段階と、を含む。
【発明の効果】
【００２５】
本発明によるケーブルモデムを利用した緊急電話発信装置及びその方法は、ケーブルモデムを利用したインターネット電話サービス時において、ケーブルモデムにＰＳＴＮバックアップラインを接続して使用者が電話機を通じて入力した電話番号が緊急電話番号である場合に、緊急電話呼出信号をケーブルモデムに接続されたＰＳＴＮバックアップラインを通じてＰＳＴＮへ伝送することによって、ケーブルモデムを利用したインターネット電話サービス時に、全世界的にＰＳＴＮバックアップ回路及び安定化されたＰＳＴＮを通じて緊急電話機能が実行できる効果がある。 
【００２６】
また、ケーブルモデムを通じたインターネット電話サービス時、緊急電話呼出時に速かにＰＳＴＮラインを通じて緊急電話を呼び出すことができるので、緊急の状況に対する迅速な対処が可能になる効果が得られる。
【発明を実施するための最良の形態】
【００２７】
以下、添付の図面を参照して本発明によるケーブルモデムを利用した緊急電話発信装置及びその方法の好ましい実施形態について詳細に説明する。
【００２８】
図２は、本発明によるケーブルモデムを利用した緊急電話発信装置についてのブロック構成図である。
【００２９】
図２に示すように、ケーブルモデムを利用した緊急電話発信装置は、デジット認識部２１、制御部２２、保存部２３、ＤＴＭＦ信号発生部２４、ＤＴＭＦ信号伝送部２５、インピーダンス整合部２６、リレー制御部２７及びリレー２８を含むことができる。
【００３０】
デジット認識部２１は、電話機１１から発生したデジット信号を受信した後に、受信されたデジット信号がどのような番号のデジット信号であるかを分析して、当該デジットに相応する数字情報(電話番号情報)を制御部２２に供給する。
【００３１】
ここで、電話機１１から発生するデジット信号は、当該電話機が電子式(デジタルタイプ)電話機である場合にはＤＴＭＦ信号であり、機械式(アナログタイプ)電話である場合にはリレー駆動によるパルス信号である。したがって、デジット認識部２１は、電話機から発生したＤＴＭＦ信号またはパルスを分析することで、当該デジット信号を認識する。
【００３２】
制御部２２は、デジット認識部２２から供給される数字情報(電話番号情報)を保存部２３の緊急電話テーブルに保存された緊急電話番号情報と比較して、電話機１１から発生したデジット値が緊急電話番号に相応するデジット値であるか否かを判定する。即ち、制御部２２は、使用者がダイヤリングした電話番号が、緊急電話番号であるのかそれとも一般電話番号であるのかを比較分析する処理を実行する。
【００３３】
制御部２２でのデジット信号の比較方法には多様な方法があり、例えば、大部分の緊急電話番号は３桁であることから、電話機１１から発生したデジットの前の３桁のみを比較分析して、当該デジットがいずれかの緊急電話番号に対応するデジット値に合致するか否かを判断する。
【００３４】
また、制御部２２が実行する他の方法としては、大部分の緊急電話番号は特定の番号を有し、例えば一番目の桁の番号が“１”で始まることから、一番目の桁のデジットが“１”に該当するデジットである場合にだけ、前から３桁の数字に対応するデジット値のみを保存部２３の緊急電話テーブルと比較する。
【００３５】
さらに、制御部２２が実行する他の方法としては、電話機１１により発生された全てのデジット信号を保存部２３の緊急電話テーブルと比較して、当該デジットが緊急電話番号に相応するデジットであるか否かを比較分析しても良い。
【００３６】
保存部２３は、ＲＡＭ等の各種記憶媒体が使用され、多数の緊急電話番号に対応する数字情報をテーブル形態で保存している。
【００３７】
制御部２２は、数字情報(電話番号情報)の比較の結果、電話機１１から発生された電話番号のデジット値が緊急電話番号に対応するデジット値ではない場合には、ＶｏＩＰモード状態を維持した後に、当該デジット値をケーブル網を通じてＣＭＴＳ３０へ伝送し、ＣＭＴＳは受信されたデジット値によってインターネット網を通じて相手の電話機と呼を接続して送／受信者間での音声通話が行われるようにする。
【００３８】
一方、前記デジット値の比較の結果、電話機１１から発生された電話番号のデジット値が緊急電話番号に対応するデジット値である場合には、制御部２２は、現在のモード状態をＶｏＩＰモードからＰＳＴＮモードに変換した後に、入力されたデジット値が機械式電話機から入力された値であるか電子式電話機から入力された値であるかを判断する。
【００３９】
この判断の結果、もしも電子式電話機から入力されたデジット値である場合には、制御部２２は、当該デジット値に相応するＤＴＭＦ信号を発生するための制御信号を、ＤＴＭＦ信号発生部２４に供給する。
【００４０】
ＤＴＭＦ信号発生部２４は、制御部２２からのデジット発生制御信号に基づいて、電話機から入力された緊急電話番号のＤＴＭＦ信号と同一のＤＴＭＦ信号を生成して、ＤＴＭＦ信号伝送部２５に供給する。
【００４１】
ＤＴＭＦ信号伝送部２５は、ＤＴＭＦ信号発生部２４により生成されたＤＴＭＦ信号を、インピーダンス整合部２６を通じてＰＳＴＮ５０へ伝送する。
【００４２】
インピーダンス整合部２６は、ＤＴＭＦ信号伝送部２５から伝送されたＤＴＭＦ信号を、ＰＳＴＮを通じて交換機への安定した伝送を行うために、ケーブルモデム２０と交換機の間のインピーダンスを整合した後に、緊急電話番号についてのＤＴＭＦ信号をＰＳＴＮへ伝送する。ここで、インピーダンス整合部２６は、トランスフォーマー(Transformer)を備えており、ケーブルモデム２０と交換機内のＳＬＩＣ(図示せず)との間のインピーダンスを整合するためのものである。
【００４３】
一方、入力される緊急電話番号についてのデジット値が機械式電話機から入力されたパルスである場合には、制御部２２は、電話機から最初に入力された緊急電話番号のパルスと同一のパルスを発生するための制御信号、即ち、使用者が選択した緊急電話番号に相応するパルスを発生するためのリレー２８を駆動するための制御信号を、リレー制御部２７に供給する。
【００４４】
リレー制御部２７は、制御部２２から供給された制御信号に基づいて、使用者が最初に選択した緊急電話番号と同一番号に相応するパルスを発生するためのリレー２８の駆動を制御する。
【００４５】
したがって、リレー２８は緊急電話番号に対応するパルスを発生し、発生されたパルスはケーブルモデム２０に接続されたＰＳＴＮバックアップラインを通じてＰＳＴＮ５０へと伝送され、これにより緊急電話呼出が行われる。
【００４６】
以下、このように構成された本発明によるケーブルモデムを用いた緊急電話発信装置の具体的な動作について、ケーブルモデム２０に接続された電話機１１が電子式電話機である場合と、機械式電話機である場合と、にそれぞれ分けて説明する。
【００４７】
まず、ケーブルモデム２０に接続された電話機１１が電子式電話機である第１実施形態の場合について説明する。
【００４８】
電子式電話機１１からデジット(ＤＴＭＦ)が生成されると、ケーブルモデム２０のデジット認識部２１は、電子式電話機１１からの該デジットを数字で認識して、数字情報を制御部２２に供給する。
【００４９】
制御部２２は、デジット認識部２１から供給される数字情報と保存部２３内の緊急電話テーブルに保存された緊急電話番号情報とを比較して、電子式電話機１１から入力される電話番号が緊急電話番号であるか否かを判断する。
【００５０】
この比較及び判断の結果、電子式電話機１１から入力された電話番号が緊急電話番号ではない場合には、制御部２２は、当該電話番号のデジット情報をＣＭＴＳ３０へ伝送して、インターネットを通じて相手の電話機を呼び出す。
【００５１】
一方、制御部２２での比較判断の結果、電子式電話機１１から入力された電話番号が緊急電話番号である場合には、ケーブルモデム２０の現在のモードをＶｏＩＰモードからＰＳＴＮモードに転換した後に、使用者が入力した緊急電話番号と同一番号についてのＤＴＭＦ信号を発生するための制御信号を、ＤＴＭＦ信号発生部２４に提供する。
【００５２】
ＤＴＭＦ信号発生部２４は、制御部２２から提供されるＤＴＭＦ信号発生制御信号に基づいて、使用者が入力した緊急電話番号と同一番号についてのＤＴＭＦ信号を生成して、ＤＴＭＦ信号伝送部２５に提供する。
【００５３】
したがって、ＤＴＭＦ信号伝送部２５は、ＤＴＭＦ信号発生部２４で生成されたＤＴＭＦ信号を、ＰＳＴＮバックアップラインを通じてＰＳＴＮ５０へ伝送する。
【００５４】
このとき、ＤＴＭＦ信号伝送部２５から伝送されるＤＴＭＦ信号は、インピーダンス整合部２６によってケーブルモデム２０と交換機とのインピーダンスが整合された後に、ＰＳＴＮ５０へ伝送される。
【００５５】
次に、本発明の第２実施形態として、図２に示す使用者電話機１１が機械式電話機である場合の動作について説明する。
【００５６】
まず、機械式電話機１１から電話番号についてのデジット(パルス)が電話機内のリレーを通じて生成されると、ケーブルモデム２０のデジット認識部２１は、当該機械式電話機１１が生成したパルス値を分析して使用者により選択された電話番号の数字情報を得た後に、当該数字情報を制御部２２に供給する。
【００５７】
制御部２２は、デジット認識部２１から供給された数字情報(電話番号情報)と保存部２３内の緊急電話テーブルに保存された緊急電話番号情報とを比較して、機械式電話機１１から入力される電話番号が緊急電話番号であるか否かを判断する。
【００５８】
この比較判断の結果、機械式電話機１１から入力された電話番号が緊急電話番号ではない場合には、制御部２２は、ＶｏＩＰモード状態を維持するとともに、当該電話番号情報をケーブル網を通じてＣＭＴＳ３０へ伝送して、インターネットを通じて相手の電話機を呼び出す。
【００５９】
一方、制御部２２での電話番号の比較判断の結果、使用者から入力された電話番号が緊急電話番号である場合には、制御部２２は、ケーブルモデムの現在のモードをＶｏＩＰモードからＰＳＴＮモードに転換した後に、当該緊急電話番号に相応するリレー２８を駆動するための制御信号をリレー制御部２７に供給する。
【００６０】
リレー制御部２７は、制御部２２から供給された制御信号に基づいて、使用者が入力した緊急電話番号と同一の番号に相応するパルスを発生するためのリレー２８を駆動制御し、その結果、駆動されたリレー２８により、緊急電話番号に相応するパルスが生成され、該パルスがケーブルモデム２０に接続されたＰＳＴＮバックアップラインを通じてＰＳＴＮ５０へ伝送されて、緊急電話呼出が可能になる。
【００６１】
以下、添付した図３を参照して、本発明によるケーブルモデムを利用した緊急電話発信方法についてステップ毎に説明する。
【００６２】
図３は、本発明の実施形態によるケーブルモデムを介した緊急電話発信方法についての動作フローチャートである。
【００６３】
この緊急電話発信システムでは、図３に示すように、まず、ケーブルモデムに接続された電話機から電話番号についてのデジット又はパルスが発生したかを判断する(ステップＳ１０１)。
【００６４】
この判断の結果、電話機から電話番号についてのデジットまたはパルスが発生した場合には、ステップＳ１０２において、発生したデジットまたはパルスを分析して、デジット又はパルス値に相応する電話番号情報を得る（認識する）。
【００６５】
そして、使用者が入力した電話番号情報についての分析の後に、緊急電話番号テーブルを検索して(ステップＳ１０３)、使用者が入力した電話番号情報が緊急電話テーブルに保存された緊急電話番号と一致するか、即ち、使用者が入力した電話番号が緊急電話番号であるか否かを判断する(ステップＳ１０４)。
【００６６】
この判断の結果、使用者が入力した電話番号が緊急電話番号ではない一般電話番号である場合、即ち、使用者が入力した電話番号が緊急電話テーブルに保存された緊急電話番号と一致しない場合には、ケーブルモデムの現在モード状態であるＶｏＩＰモードを維持した状態としつつ、当該電話番号のためのデジットまたはパルス値をケーブル網を通じてＣＭＴＳへ伝送し、その後、ＣＭＴＳがインターネットを通じて相手側の電話機を呼び出すことにより、インターネット電話サービスが実行される(ステップＳ１１２)。
【００６７】
一方、前記ステップＳ１０４の判断の結果、使用者が入力した電話番号が緊急電話番号である場合、即ち、使用者が入力した電話番号が緊急電話テーブルに保存された緊急電話番号と一致する場合には、ケーブルモデムのモード状態をＶｏＩＰモードからＰＳＴＮモードに転換した後に、使用者電話機が電子式電話機であるか機械式電話機であるかを判断する(ステップＳ１０５)。ここで、使用者電話機の判断方法は、使用者の電話機から発生された電話番号についての信号がＤＴＭＦ信号である場合には当該電話機を電子式電話機と判断し、電話番号についての信号がパルス形態で発生する場合には使用者電話機を機械式電話機と判断する。
【００６８】
そして、もしも使用者電話機が電子式電話機である場合には、緊急電話発信システムは、使用者が入力(選択)した緊急電話番号についてのＤＴＭＦ信号を発生して(ステップＳ１０６）、該ＤＴＭＦ信号を、ケーブルモデムに接続されたＰＳＴＮバックアップラインを通じて送り出す(ステップＳ１０７)。このとき、ＰＳＴＮバックアップラインを通じて伝送される緊急電話番号についてのＤＴＭＦ信号は、ＰＳＴＮを通じて交換機へ安定して伝送するために、インピーダンスが整合された後(ステップＳ１０８)に、ＰＳＴＮを通じて交換機へ伝送される(ステップＳ１０９)。
【００６９】
したがって、この緊急電話発信システムにおいては、交換機を通じて緊急電話番号に相応する機関や役所などを呼び出して、使用者との緊急通話が行うことが可能になる。
【００７０】
一方、前記ステップＳ１０５の判断の結果、使用者電話機が機械式電話機である場合には、使用者が入力(選択)した緊急電話番号に相応するパルスを発生するためのリレーを駆動させて(ステップＳ１１０)、リレー駆動によって生成された、緊急電話番号に対応するパルスを、ケーブルモデムと接続されたＰＳＴＮバックアップラインを通じてＰＳＴＮへ伝送する(ステップＳ１１１)。
【００７１】
結局、本発明によるケーブルモデムを用いた緊急電話発信装置及びその方法を要約すると、ケーブルモデムにＰＳＴＮバックアップラインが連結された状態で、電話加入者が緊急電話番号をダイヤリングした場合、図２に示すデジット認識部２１が当該デジットを数字で判断した後に、判断した数字情報を制御部２２に供給する。
【００７２】
制御部２２では、保存部２３の緊急電話テーブルに保存されている緊急電話番号情報を参照して、使用者がダイヤリングした番号が緊急電話番号であるか否かを判断し、判断の結果、当該番号が緊急電話番号である場合には、ＶｏＩＰモードからＰＳＴＮモードに転換した後に、当該番号に相応するＤＴＭＦ信号を発生させるためにＤＴＭＦ信号発生部２４を制御する。
【００７３】
この場合は、緊急電話呼出を許可すべく、ＤＴＭＦ信号発生部２４は、使用者が入力したデジット(緊急電話番号)と同一のデジット(緊急電話番号)に相応するＤＴＭＦ信号を生成してＰＳＴＮへ伝送する。
【００７４】
このとき、電話加入者の電話機が機械式電話機を使っている場合には、制御部２２は、リレー制御部２７を制御して、ケーブルモデム２０内に設置されたリレー２８を駆動させる。
【００７５】
その後、緊急電話呼出を許可すべく、リレー２８を通じて生成された緊急電話番号のためのパルス信号がＰＳＴＮへ伝送され、これにより緊急電話呼出が行われる。
【図面の簡単な説明】
【００７６】
【図１】ケーブルモデムを用いた一般的な通信ネットワークの連結構造を示す図である。
【図２】本発明によるケーブルモデムを利用した緊急電話発信装置についてのブロック構成図である。
【図３】本発明によるケーブルモデムを利用した緊急転換発信方法についての動作フローチャートである。
【符号の説明】
【００７７】
１０  ＣＰＥ
２０  ケーブルモデム（緊急電話発信装置）
２１  デジット認識部
２２  制御部 
２３  保存部
２４  ＤＴＭＦ信号発生部
２５  ＤＴＭＦ信号伝送部
２６  インピーダンス整合部
２７  リレー制御部
２８  リレー
３０  ＣＭＴＳ
４０  バックボーン網 
５０  ＰＳＴＮ (Public Switched Telephone Network
【図１】
2005086817.tif 000003
【図２】
2005086817.tif 000004
【図３】
2005086817.tif 000005